(57)【要約】【課題】本発明は、分包袋中の全ての薬剤の種類の撮像を確実に表示することができる薬剤照合装置を提供することを目的とするものである【解決手段】薬剤照合装置１は、分包袋Ａ内に収納された薬剤Ｂを撮像するための撮像装置２と、画像を確認して錠剤の認識を行う画像確認監査制御部３と、処方箋読み取り装置４とから構成されている。【選択図】図１
2013066533.tif 000002
【特許請求の範囲】
【請求項１】
分包袋に収容された薬剤の画像を少なくとも２方向から撮像する撮像手段と、
該撮像手段で撮像された画像を表示する表示手段と、
薬剤情報を登録可能に構成された薬剤情報登録手段と、
前記分包袋に収容された薬剤に対応する処方箋に表示された薬剤の識別情報を読み取る処方箋読取手段と、
該処方箋読取手段で読み取られた薬剤の識別情報に基づいて、前記薬剤情報登録手段から薬剤情報を読み出す読出手段と、
前記撮像手段で撮像された画像と、前記読出手段で読み出された薬剤情報とを照合する照合手段とを備える
薬剤照合装置。
【請求項２】
前記撮像手段は、少なくとも２個の撮像部と照明部を備える
請求項１に記載の薬剤照合装置。
【請求項３】
前記撮像手段は、前記分包袋が載置される仕切り板と、該仕切り板で上部撮像空間部及び下部撮像空間部が形成された筺体と、該上部撮像空間部及び下部撮像空間部にそれぞれ配置された撮像部と、ＬＥＤ素子を有して構成される照明部を備える
請求項１または請求項２に記載の薬剤照合装置。
【請求項４】
前記仕切り板に、前記照明部からの光が吸収可能とされた光吸収面を備える
請求項３に記載の薬剤照合装置。
【請求項５】
前記仕切り板上に、裸状の薬剤が収納可能とされた透明状の持参薬用トレーが載置可能に構成された
請求項３または請求項４に記載の薬剤照合装置。
【発明の詳細な説明】
【技術分野】
【０００１】
本発明は、薬剤照合装置に関する。詳しくは、分包袋に収納された錠剤等の薬剤の照合を行う薬剤照合装置に係るものである。
【背景技術】
【０００２】
従来より、病院薬局等においては、患者に投与する錠剤を１回分ずつ分包するために各種の錠剤分包機が用いられている。特に、大規模病院の薬局等においては全自動型の錠剤分包機が用いられ、省力化が図られている。
【０００３】
ここで、このような錠剤分包機を用いて錠剤分包を行った場合においても最終的に薬剤師による照合が行われる。具体的には、各分包袋に処方箋通りの適正な種類及び錠数の錠剤が収容されているか否かを照合する作業が義務付けられている。
【０００４】
この薬剤師による錠剤の確認作業では、極めて多様の形状、色、大きさ等を有する錠剤の種類と錠数とを迅速かつ正確に判別することが要求されるために、薬剤師への負担が極めて大きいのが現状である。
【０００５】
そこで、このような薬剤師の負担を軽減すべく、分包袋中の錠剤の種類および錠数を自動認識する装置として、例えば特許文献１に記載されたものが知られている。
具体的には、特許文献１に記載された薬剤監査支援システムでは、図７に示すように、バーコードリーダー１０１で薬袋から読み取ったバーコード（処方箋コード）を基に、操作卓１０２のデータベースから処方箋関連データを取得する。
【０００６】
また、撮像装置１０３によって、薬袋から取り出された分包袋中の錠剤のカラー反射画像を取得し、表示装置１０４の画面上に、処方箋関連データと錠剤画像を同時に表示する構成とする。
【０００７】
これにより、最初の分包袋中の錠剤影画像を取得することで、その分包袋中の錠剤数の計数を行うものである。
【先行技術文献】
【特許文献】
【０００８】
【特許文献１】特開平９−２５３１６３号公報
【発明の概要】
【発明が解決しようとする課題】
【０００９】
しかしながら、特許文献１に記載された薬剤監査支援システムにおける撮像装置では、分包袋中の錠剤影画像を取得することで錠剤数の計数を行うものであり、錠剤に記載された薬剤の名称を読み取ることを目的とするものではない。
【００１０】
従って、分包袋中の錠剤数の照合を行うことは可能ではあるが、これらの錠剤が処方箋通りの薬剤（メーカー名、成分）であるかどうかの照合を行うことはできない。
【００１１】
本発明は、以上の点に鑑みて創案されたものであって、処方箋と分包袋中の薬剤との照合を実現可能とした薬剤照合装置を提供することを目的とするものである。
【課題を解決するための手段】
【００１２】
上記の目的を達成するために、本発明に係る薬剤照合装置は、分包袋に収容された薬剤の画像を少なくとも２方向から撮像する撮像手段と、該撮像手段で撮像された画像を表示する表示手段と、薬剤情報を登録可能に構成された薬剤情報登録手段と、前記分包袋に収容された薬剤に対応する処方箋に表示された薬剤の識別情報を読み取る処方箋読取手段と、該処方箋読取手段で読み取られた薬剤の識別情報に基づいて、前記薬剤情報登録手段から薬剤情報を読み出す読出手段と、前記撮像手段で撮像された画像と、前記読出手段で読み出された薬剤情報とを照合する照合手段とを備える。
【００１３】
ここで、分包袋に収容された薬剤の画像を少なくとも２方向から撮像する撮像手段で撮像された画像を表示する表示手段によって、分包袋中の薬剤に表示された識別コード等を表示することができる。
【００１４】
また、撮像手段で撮像された画像と、読出手段で読み出された薬剤情報とを照合する照合手段によって、分包袋中のどの薬剤が処方箋読取手段で読み取られた薬剤の識別情報と適合するかを確認することができる。
【００１５】
また、撮像手段は、少なくとも２個の撮像部と照明部を備える場合には、分包袋内に収容された薬剤を照明部で照射することで、鮮明な画像を撮像することができる。更に、少なくとも２個の撮像部で分包袋を、その上面および下面から撮像することが可能となるために、分包袋内に収納された薬剤に付された識別コード等を漏れなく撮像することができる。
【００１６】
また、撮像手段は、仕切り板を設けることで筺体内に上部撮像空間部及び下部撮像空間部を形成する場合には、これにより分包袋に収納された薬剤を、その上面、あるいは下面から撮像することができる。
【００１７】
更に、照明部がＬＥＤ素子で構成された場合には、照射熱による薬剤への悪影響を防止するとことができる。
【００１８】
また、仕切り板に、照明部からの光が吸収可能とされた光吸収面を形成する場合には、光吸収面上の薬剤のみに光が反射することで背景色とコントラストの大きい鮮明な画像を撮像することができる。
【００１９】
また、仕切り板上に、裸状の薬剤が収納可能にされた透明状の持参薬用トレーを載置可能に構成された場合には、患者が持参した薬剤を撮像することで、薬剤情報を容易に確認することができる。
【発明の効果】
【００２０】
本発明の薬剤照合装置によれば、処方箋と分包袋内の薬剤との照合を、画像を見ながら確実に行うことが可能となる。
【図面の簡単な説明】
【００２１】
【図１】本発明を適用した薬剤照合装置の一例を説明するための模式図である。
【図２】本発明を適用した薬剤照合装置の持参薬用トレーを説明するための模式図である。
【図３】本発明を適用した薬剤照合装置の撮像装置の動作の一例を説明するための模式図である。
【図４】本発明を適用した薬剤照合装置の他の例を説明するための模式図である。
【図５】本発明を適用した薬剤照合装置の他の持参薬用トレーを説明するための模式図である。
【図６】本発明を適用した薬剤照合装置の撮像装置の動作の他の例を説明するための模式図である。
【図７】従来の錠剤薬剤照合装置の一例を説明するための模式図である。
【発明を実施するための形態】
【００２２】
以下、本発明の実施の形態を図面を参酌しながら説明し、本発明の理解に供する。
【００２３】
＜第1の実施の形態＞
図１は本発明を適用した薬剤照合装置の一例を説明するための模式図である。
【００２４】
ここで示す薬剤照合装置１は、分包袋Ａ内に収納された薬剤Ｂを撮像するための撮像装置２と、画像を確認して錠剤の認識を行う画像確認監査制御部３と、処方箋読み取り装置４とから構成されている。
【００２５】
ここで、撮像装置２は、横長状の筺体３０内面が黒色塗装等で暗幕に形成されると共に、筺体３０内が透明状のアクリル板等の仕切り板５で上部撮像空間部６及び下部撮像空間部７に区分されている。
【００２６】
また、筺体３０の一方の側面８の仕切り板５の上面位置には、分包袋Ａの幅長さを有し、分包袋Ａが挿入可能とされる投入口９が開口される。更に、他方の側面８Ａの仕切り板５の上面位置には分包袋Ａの幅長さを有し、分包袋Ａが送出可能とされる送出口１０が開口されている。
【００２７】
また、仕切り板５の上面には、投入口９から送出口１０の開口端に沿ってガイト部１１が突設形成されている。
【００２８】
また、筺体３０内の上部撮像空間部６の投入口９側の上部には、所定の光学系とＣＣＤ等の撮像素子を用いて構成される撮像部１２が配置されている。更に、筺体３内の下部撮像空間部７の送出口１０の下部には撮像部１２Ａが配置されている。この撮像部１２Ａは、撮像部１１と同様に所定の光学系とＣＣＤ等の撮像素子を用いて構成される。
【００２９】
また、撮像部１２、１２Ａの周囲にはＬＥＤ灯１３、１３Ａが配置され、このＬＥＤ灯１３、１３Ａからの出光で仕切り板５の上面、あるいは下面を照射する構成とされている。
【００３０】
更に、撮像部１２の下方の仕切り板５の上面が黒塗装による光吸収面１４に形成されている。また、撮像部１２Ａの上方の仕切り板５の下面には、分包袋Ａより大とされる開口部（図示せず。）が切欠開口されている。この開口部を覆うように、開口部の上方には黒塗装による光吸収面１４が形成された遮光板部１６が架設されている。
【００３１】
また、図２は（図２（Ａ）は本発明を適用した薬剤照合装置の持参薬用トレーの動作の一例を説明するための模式図を示し、図２（Ｂ）は本発明を適用した薬剤照合装置の持参薬用トレーの動作の他の例を説明するための模式図を示す。）本発明を適用した薬剤照合装置の持参薬用トレーを説明するための模式図である。
【００３２】
ここで、本発明を適用した薬剤照合装置では、図２（Ａ）に示すように、撮像部１２の下方の仕切り板５に沿った筺体３０の正壁面１７にトレー挿入用開口部１８が開設されている。
【００３３】
また、図２（Ｂ）に示すように、撮像部１２Ａの上方の仕切り板５に沿った筺体３０の正壁面１７にトレー挿入用開口部１８Ａが開設されている。
【００３４】
このトレー挿入用開口部１８、１８Ａより筺体３０内へ出し入れ自在な構成とされる持参薬用トレー１９は、透明状のアクリル素材等で形成されると共に、その略中央位置には凹部２０が形成されている。更に、その一辺には手で掴んで筺体３０内への出し入れが自由に行える把持部２１が形成されている。
【００３５】
このような構成の持参薬用トレー１９は、図２（Ａ）に示すように、トレー挿入用開口部１８より凹部２０が撮像部１２の下方の位置となるように挿し入れられ、撮像部１２で薬剤の上面が撮像される。
【００３６】
また、トレー挿入用開口部１８より持参薬用トレー１９を引き出して、図２（Ｂ）に示すように、トレー挿入用開口部１８Ａより凹部２０が撮像部１２Ａの上方の位置となるように挿し入れられ、撮像部１２Ａで薬剤の下面が撮像される。
【００３７】
また、画像確認監査制御部３は、撮像部１２、１２Ａからの画像情報を処理するための画像処理ボード２２が配置されている。更に、画像を表示するための液晶ディスプレイ等による表示装置２３と、ＣＰＵ（中央処理装置）、メモリ、通信、及びこれらを起動させるソフトウエアから構成される認識制御装置２４とから構成されている。
【００３８】
また、認識制御装置２４には撮像部１２、１２Ａでの錠剤の撮像を行う際に足で踏むことでシャッターを押すことができるフットスイッチ２５が接続されている。
【００３９】
また、認識制御装置２４にはバーコードリーダー等による処方箋読み取り装置４が接続されている。
【００４０】
更に、認識制御装置２４には各製薬メーカーで取扱っている各種の錠剤やカプセル等の薬剤の名称、成分、効能等の情報が記憶されているデータベース２８にＨＵＢ２７を介して接続されている。
【００４１】
［撮像装置の動作］
本実施例の撮像装置２は、図３に示すように、分包袋Ａを手動等で筺体３の投入口９より挿し入れる。
【００４２】
ここで、分包袋Ａは撮像部１２の真下の光吸収面１４上で停止させる。そして、分包袋Ａ上方からＬＥＤ灯１３で照射することで、光吸収面１４上の分包袋Ａ内の錠剤の上面のみに光が反射して、錠剤の上面が鮮明に写し出された状態での撮影が可能となる。
【００４３】
更に、撮像部１２で撮影後の分包袋Ａは、撮像部１２Ａの真上の仕切り板５上に停止させ、分包袋Ａ下方からＬＥＤ灯１３で照射することで、分包袋Ａ内の錠剤の下面のみに光が反射して、錠剤の下面が鮮明に写し出された状態での撮影が可能となる。
【００４４】
このような構成により、錠剤の上面、あるいは下面に表示された錠剤のメーカー、種類等の情報を漏れなく、確実に撮影することが可能となる。
【００４５】
［薬剤照合装置の動作］
以下、本実施例の動作について説明を行う。
本実施例の薬剤照合装置を利用する場合には、先ず、各患ごとの分包袋の数と処方箋に記載されている数量との確認を行う。
【００４６】
次に、処方箋に記載されたバーコードをバーコードリーダーで読み取る。このバーコードを基に、認識制御装置２４のソフトウエアでデータベース２８から製薬メーカーで取扱っている各種の錠剤やカプセル等の薬剤の名称、成分、効能等の情報を読み出す。
【００４７】
そして、筺体３０の投入口９内へ連続して接続された複数の分包袋Ａをガイド部１１に沿って挿し入れ、表示装置２３に画像を表示しながら撮像部１２下に分包袋Ａをセットする。更に、セット完了後、フットスイッチ２５で分包袋Ａの上面の撮像を開始する。
【００４８】
次に、撮像部１２で撮像完了後に、表示装置２３に画像を表示しながら撮像部１２Ａ上まで分包袋Ａを移動させてセットする。更に、セット完了後、フットスイッチ２５で分包袋Ａの下面の撮像を開始する。
【００４９】
このようにして、分包袋Ａの上、下面の撮影が終了し、分包袋Ａ内の薬剤Ｂの認識が完了すると共に、データベース２８から読み込んだ処方薬と照合する。
【００５０】
ここで、照合できた薬剤については、画面内の錠剤付近に錠剤名称を表示し、読み取り不可の薬剤については画面内にＮＧ表示をする。
【００５１】
これにより、ＮＧ表示された薬剤については、データベース２８から読み出した処方薬と照合できなかったものであり、処方箋以外の薬剤が混入していることが考えられる。
【００５２】
また、薬剤に付された識別コードの撮像が不鮮明で認識をすることができなかった場合には、画像処理で画像を鮮明にする、あるいは分包袋Ａ内の錠剤等を動かして識別コードの向きを変えて鮮明な画像に再処理を行う。
【００５３】
このようにして薬剤師は片手で連続して接続された分包袋Ａを、筺体３０の投入口９内に挿し入れる。そして、分包袋Ａを、撮像部１２、１２Ａによる撮影位置に停止させながらフットスイッチ２５で撮影を行い、送出口１０から取り出す。
【００５４】
ここで、照合できた薬剤については、画面内の薬剤付近に薬剤名称は表示されることで処方箋通りの薬剤が収納されているかの確認を行うことができると同時に、画像は認識制御装置２４のハードディスクにメモリされる。
【００５５】
次に、患者の持参薬の認識を行う場合には、図２に示すように、持参薬用トレー１９の凹部２０内に持参薬Ｃを入れて、トレー挿入用開口部１８から撮像部１２の下方位置に挿し入れる。次に、トレー挿入用開口部１８Ａから撮像部１２Ａの上方位置に挿し入れる。
【００５６】
このようにして、撮像部１２、１２Ａで撮影が行われると共に、画面に表示された錠剤の形や文字等の画像が認識制御装置２４で認識され、データベース２８から対応するメーカーや名称等の情報が抽出されて画面内の薬剤付近に錠剤名称を表示する。
【００５７】
なお、本実施例では、透明状の仕切り板について詳述するものであるが、必ずしも透明状とする必要性はなく、例えば下部の撮像部から撮像する場合には仕切り板に開口部を設けた構成であっても構わない。
【００５８】
また、本実施例では照明部がＬＥＤ灯で構成された場合について詳述するものであるが、必ずしもＬＥＤ灯で構成する必要性はない。
【００５９】
例えば、通常の電球であっても構わないが、照射による熱で薬剤に影響を与えないＬＥＤ灯を使用することが望ましい。
【００６０】
また、本実施例では分包袋の送り出しを手動で行う構成について詳述するものであるが、必ずしも手動で行う必要性はない。
【００６１】
例えば、駆動ローラで自動的に分包袋を撮像位置に停止しながら送り出される機構であっても構わない。
【００６２】
以上の構成よりなる本発明の薬剤照合装置では、薬剤師が分包袋を手動により撮像装置内を移動させながら足の操作で分包袋内の薬剤を撮影して処方箋の一連の確認を行うことで自分のペースでの作業を行うことが可能となる。
【００６３】
また、分包袋を上、下面から撮影することで錠剤がどのような向きで収納されていても薬剤の表面に付されているメーカー、種類等の識別コードを漏れなく撮影することが可能となる。
【００６４】
＜第２の実施の形態＞
図４は本発明を適用した薬剤照合装置の一例を説明するための模式図である。
【００６５】
ここで示す薬剤照合装置１Ａは、分包袋Ａ内に収納された薬剤Ｂを撮像するための撮像装置２Ａと、画像を確認して錠剤の認識を行う画像確認監査制御部３と、処方箋読み取り装置４とから構成されている。
【００６６】
ここで、撮像装置２Ａは、横長状の筺体３０内面が黒色塗装等で暗幕４に形成されると共に、筺体３０内が透明状のアクリル板等の仕切り板５で上部撮像空間部６及び下部撮像空間部７に区分されている。
【００６７】
また、筺体３０の一方の側面８の仕切り板５の上面位置には、分包袋Ａの幅長さを有し、分包袋Ａが挿入可能とされる投入口９が開口される。更に、他方の側面８Ａの仕切り板５の上面位置には分包袋Ａの幅長さを有し、分包袋Ａが送出可能とされる送出口１０が開口されている。
【００６８】
また、仕切り板５の上面には、投入口９から送出口１０の開口端に沿ってガイト部１１が突設形成されている。
【００６９】
また、筺体３０内の上部撮像空間部６の上部には、所定の光学系とＣＣＤ等の撮像素子を用いて構成される撮像部１２が配置されている。更に、筺体３０内の下部撮像空間部７の下部には仕切り板５を介して相対する撮像部１２Ａが配置されている。
【００７０】
また、撮像部１２、１２Ａの周囲にはＬＥＤ灯１３、１３Ａが配置され、このＬＥＤ灯１３、１３Ａからの出光で仕切り板５の上面、あるいは下面を照射する構成とされている。
【００７１】
更に、撮像部１２、１２Ａとの間の仕切り板５上には、黒塗装による光吸収面１４が形成された遮光板部１６Ａが配置されている。この遮光板部１６Ａは分包袋Ａの下面の仕切り板５上と分包袋Ａの上に入れ替え移動できるような構成とされている。
【００７２】
また、図５は本発明を適用した薬剤照合装置の他の持参薬用トレーを説明するための模式図である。
【００７３】
ここで、撮像部１２の下方の仕切り板５に沿った筺体３０の正壁面１７にトレー挿入用開口部１８が開設されている。このトレー挿入用開口部１８に、持参薬用トレー１９が出し入れ自在な構成とされる。
【００７４】
この持参薬用トレー１９は、透明状のアクリル素材等で形成されると共に、その略中央位置には凹部２０が形成されている。更に、その一辺には手で掴んで筺体３０内への出し入れが自由に行える把持部２１が形成されている。
【００７５】
このような構成の持参薬用トレー１９は、トレー挿入用開口部１８より凹部２０が撮像部１２の下方の位置となるように挿し入れられると共に、仕切り板５の下面に遮光板部１６Ａが配置され、撮像部１２で薬剤の上面が撮像される。
【００７６】
そして、この状態から仕切り板５の下面に配置された遮光板部１６Ａが引き出され、仕切り板５の上面に遮光板部１６Ａが配置されると共に、撮像部１２Ａで薬剤の下面が撮像される。
【００７７】
また、画像確認監査制御部３は、撮像部１２、１２Ａからの画像情報を処理するための画像処理ボード２２が配置されている。更に、画像を表示するための液晶ディスプレイ等による表示装置２３と、ＣＰＵ（中央処理装置）、メモリ、通信、及びこれらを起動させるソフトウエアから構成される認識制御装置２４とから構成されている。
【００７８】
また、認識制御装置２４には撮像部１２、１２Ａでの錠剤の撮像を行う際に足で踏むことでシャッターを押すことができるフットスイッチ２５が接続されている。
【００７９】
また、認識制御装置２４にはバーコードリーダー等による処方箋読み取り装置４が接続されている。
【００８０】
更に、認識制御装置２４には各製薬メーカーで取扱っている各種の錠剤やカプセル等の薬剤の名称、成分、効能等の情報が記憶されているデータベース２８にＨＵＢ２７を介して接続されている。
【００８１】
［撮像装置の動作］
本実施例の撮像装置２Ａは、図６に示すように、分包袋Ａを手動等で筺体３の投入口９より挿し入れる。
【００８２】
ここで、分包袋Ａは撮像部１２の真下の遮蔽板部１６Ａ上で停止させる。そして、分包袋Ａ上方からＬＥＤ灯１３で照射することで、遮蔽板部１６Ａの光吸収面１４上の分包袋Ａ内の錠剤の上面のみに光が反射して、錠剤の上面が鮮明に写し出された状態での撮影が可能となる。
【００８３】
更に、撮像部１２で撮影後の分包袋Ａは、遮蔽板部１６Ａを抜き取り、分包袋Ａ上に配置する。そして、撮像部１２ＡのＬＥＤ灯１３で分包袋Ａ下方からで照射することで、分包袋Ａ内の錠剤の下面のみに光が反射して、錠剤の下面が鮮明に写し出された状態での撮影が可能となる。
【００８４】
このような構成により、錠剤の上面、あるいは下面に表示された錠剤のメーカー、種類等の情報を漏れなく、確実に撮影することが可能となる。
【００８５】
［薬剤照合装置の動作］
以下、本実施例の動作について説明を行う。
本実施例の錠剤チェックシステムを利用する場合には、先ず、各患ごとの分包袋の数と処方箋に記載されている数量との確認を行う。
【００８６】
次に、処方箋に記載されたバーコードをバーコードリーダーで読み取る。このバーコードを基に、認識制御装置２４のソフトウエアでデータベース２８から製薬メーカーで取扱っている各種の錠剤やカプセル等の薬剤の名称、成分、効能等の情報を読み出す。
【００８７】
そして、筺体３０の投入口９内へ連続して接続された複数の分包袋Ａをガイド部１１に沿って挿し入れ、表示装置２３に画像を表示しながら撮像部１２下の遮光板部１６Ａ上に分包袋Ａをセットする。更に、セット完了後、フットスイッチ２５で分包袋Ａの上面の撮像を開始する。
【００８８】
次に、撮像部１２で撮像完了後に、遮光板部１６Ａを抜き取り、分包袋Ａ上に移動させる。そして、表示装置２３に画像を表示しながら撮像部１２Ａ上まで分包袋Ａを移動させてセットする。そして、セット完了後、フットスイッチ２５を操作して撮像部１２Ａで分包袋Ａの下面の撮像を開始する。
【００８９】
このようにして、分包袋Ａの上、下面の撮影が終了し、分包袋Ａ内の薬剤Ｂの認識が完了すると共に、データベース２８から読み込んだ処方薬と照合する。
【００９０】
ここで、照合できた薬剤については、画面内の薬剤付近に錠剤名称を表示し、読み取り不可の薬剤については画面内にＮＧ表示をする。
【００９１】
これにより、ＮＧ表示された薬剤については、データベース２８から読み出した処方薬と照合することができなかったものであり、処方箋以外の薬剤が混入していることが考えられる。
【００９２】
また、薬剤に付された文字等の識別コードの撮像が不鮮明で認識をすることができなかった場合には、画像処理で画像を鮮明にする、あるいは分包袋Ａ内の薬剤を動かして文字等の向きを変えて鮮明な画像に再処理を行う。
【００９３】
このようにして薬剤師は片手で連続して接続された分包袋Ａを、筺体３０の投入口９内に挿し入れる。そして、分包袋Ａを、フットスイッチ２５の操作で撮像部１２、１２Ａによる撮影を行、送出口１０から取り出す。
【００９４】
ここで、認識できた薬剤については、画面内の錠剤付近に錠剤名称は表示されることで処方箋通りの薬剤が収納されているかの確認を行うことができると同時に画像は認識制御装置２４のハードディスクにメモリされる。
【００９５】
次に、患者の持参薬の認識を行う場合には、図５に示すように、持参薬用トレー１９の凹部２０内に持参薬Ｃを入れて、トレー挿入用開口部１８から仕切り板５の上面に配置された遮光板部１６Ａ上に挿し入れる。そして、フットスイッチ２５の操作で撮像部１２よる撮影を行う。
【００９６】
更に、遮光板部１６Ａを抜き取り、持参用トレー１９上に遮光板部１６Ａを配置し、フットスイッチ２５の操作で撮像部１２Ａによる撮影を行う。
【００９７】
このようにして、撮像部１２、１２Ａで撮影が行われると共に、画面に表示された薬剤の形や文字等の識別コードの画像が認識制御装置２４で認識され、データベース２８から対応するメーカーや名称等の情報が抽出されて画面内の薬剤付近に薬剤の名称を表示する。
【００９８】
なお、本実施例では、透明状の仕切り板について詳述するものであるが、必ずしも透明状とする必要性はなく、例えば下部の撮像部から撮像する場合には仕切り板に開口部を設けた構成であっても構わない。
【００９９】
また、前述したように、照明部をＬＥＤ灯で構成する必要性はなく、例えば、通常の電球であっても構わないが、照射による熱で薬剤に影響を与えないＬＥＤ灯を使用することが望ましい。
【０１００】
また、前述したように、分包袋の送り出しを手動で行う必要性はなく、例えば、駆動ローラで自動的に分包袋を撮像位置に停止しながら送り出される機構であっても構わない。
【０１０１】
以上の構成よりなる本発明の薬剤照合装置では、薬剤師が分包袋を手動により撮像装置内を移動させながら足の操作で分包袋内の薬剤を撮影して処方箋の一連の確認を行うことで自分のペースでの作業を行うことが可能となる。
【０１０２】
また、分包袋を上、下面から撮影することで薬剤がどのような向きで収納されていても薬剤の表面に表示されているメーカー、種類等の情報を漏れなく撮影することが可能となる。
【符号の説明】
【０１０３】
１、１Ａ            薬剤照合装置
２            撮像装置
３            画像確認監査制御部
４            処方箋読み取り装置
５            仕切り板
６            上部撮像空間部
７            下部撮像空間部
８            一方の側面
８Ａ          他方の側面
９            投入口
１０          送出口
１１          ガイド部
１２、１２Ａ  撮像部
１３、１３Ａ  ＬＥＤ灯
１４          光吸収面
１６、１６Ａ          遮光板部
１７          正面壁
１８、１８Ａ  トレー挿入用開口部
１９          持参薬用トレー
２０          凹部
２１          把持部
２２          画像処理ボード
２３          表示装置
２４          認識制御装置
２５          フットスイッチ
２７          ＨＵＢ
２８          データベース
３０          筺体
【図１】
2013066533.tif 000003
【図２】
2013066533.tif 000004
【図３】
2013066533.tif 000005
【図４】
2013066533.tif 000006
【図５】
2013066533.tif 000007
【図６】
2013066533.tif 000008
【図７】
2013066533.tif 000009